(57)【要約】【課題】信頼性の高い通信を維持して、ネットワークアドレスの設定を行うネットワークアドレス設定システムおよびネットワークアドレス設定方法を実現することを目的にする。【解決手段】本発明は、ネットワークを介して測定機器にネットワークアドレスの設定を行わせる設定装置を具備するネットワークアドレス設定システムに改良を加えたものである。本システムの測定機器は、ネットワークを介して外部装置または設定装置と通信を行う送受信手段と、この送受信手段がコネクション型の接続で通信を行っているかを判断する判断手段と、この判断手段の判断結果に基づいて、ネットワークアドレスの設定を行う設定手段とを設けたことを特徴とするものである。【選択図】        図１
2004297469.tif 000002
【特許請求の範囲】
【請求項１】
ネットワークを介して測定機器にネットワークアドレスの設定を行わせる設定装置を具備するネットワークアドレス設定システムにおいて、
前記測定機器は、
前記ネットワークを介して外部装置または前記設定装置と通信を行う送受信手段と、
この送受信手段がコネクション型の接続で通信を行っているかを判断する判断手段と、
この判断手段の判断結果に基づいて、ネットワークアドレスの設定を行う設定手段と
を設けたことを特徴とするネットワークアドレス設定システム。
【請求項２】
ネットワークは、ＴＣＰ／ＩＰプロトコルで通信されることを特徴とする請求項１記載のネットワークアドレス設定システム。
【請求項３】
コネクション型の接続は、ＴＣＰであることを特徴とする請求項１または２記載のネットワークアドレス設定システム。
【請求項４】
設定装置は、前記測定機器とコネクションレス型の接続で通信を行ってネットワークアドレスの設定を行わせることを特徴とする請求項１〜３のいずれかに記載のネットワークアドレス設定システム。
【請求項５】
コネクションレス型の接続は、ＵＤＰであることを特徴とする請求項４記載のネットワークアドレス設定システム。
【請求項６】
外部装置は、前記測定機器に測定を行わせ、測定した測定データを収集するコンピュータであることを特徴とする請求項１〜５のいずれかに記載のネットワークアドレス設定システム。
【請求項７】
測定機器は、前記設定装置からのネットワークアドレスの設定要求の受信を示す表示手段を設けたことを特徴とする請求項１〜６のいずれかに記載のネットワークアドレス設定システム。
【請求項８】
設定装置は、
前記測定機器の機器情報を記憶する機器情報記憶手段と、
前記測定機器から機器情報を収集し、前記機器情報記憶手段に格納する収集手段と
を有することを特徴とする請求項１〜７のいずれかに記載のネットワークアドレス設定システム。
【請求項９】
機器情報は、前記測定機器の物理アドレスまたは前記測定機器ごとにあらかじめ割り振られる機器番号の少なくとも一方であることを特徴とする請求項８記載のネットワークアドレス設定システム。
【請求項１０】
設定装置は、ネットワークアドレスを記憶するアドレス記憶手段を有し、
前記送受信手段は、前記アドレス記憶手段と前記機器情報記憶手段のそれぞれからネットワークアドレスと機器情報とを読み出し、ネットワークに出力することを特徴とする請求項１〜９のいずれかに記載のネットワークアドレス設定システム。
【請求項１１】
ネットワークを介して測定機器にネットワークアドレスの設定を行わせる設定装置を具備するネットワークアドレス設定方法において、
前記測定機器は、
前記ネットワークを介して外部装置または前記設定装置とコネクション型の接続で送受信手段が通信を行っているかを判断する工程と、
この判断結果に基づいて、ネットワークアドレスの設定を行う工程と
を有することを特徴とするネットワークアドレス設定方法。
【発明の詳細な説明】
【０００１】
【発明の属する技術分野】
本発明は、ネットワークを介して測定機器にネットワークアドレスの設定を行わせる設定装置を具備するネットワークアドレス設定システムおよびネットワークアドレス設定方法に関し、詳しくは、信頼性の高い通信を維持して、ネットワークアドレスの設定を行うネットワークアドレス設定システムおよびネットワークアドレス設定方法に関するものである。
【０００２】
【従来の技術】
近年、レコーダのような従来単体で使用されていた測定機器をネットワーク、例えば、イーサネット（登録商標）に接続し、コンピュータがネットワークを介して複数の測定機器を制御して測定を行わせ、データを収集するようになってきている。また、ネットワークはプロトコルとして、例えば、ＴＣＰ／ＩＰプロトコルで通信されることが多い。また、キーボードやディスプレイ等のマンマシンインターフェースを有しない測定機器の場合、異なる装置を用いてネットワークアドレスであるＩＰ（Ｉｎｔｅｒｎｅｔ  Ｐｒｏｔｏｃｏｌ）アドレスを設定しなければならない。
【０００３】
図４は、このようなネットワークアドレス設定システムの従来例を示す構成図である。
図４において、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ１０は、汎用信号線１００に接続される。汎用信号線１００は、例えば、ＩＥＥＥ８０２．３規格に準拠したイーサネット（登録商標）である。測定機器ｍ１〜ｍ３は、この汎用信号線１００に接続される。なお、図中、測定機器ｍ１〜ｍ３は、３台接続する構成を示しているが、何台接続してもよい。
【０００４】
そして、測定機器ｍ１〜ｍ３がシステムを起動する際に、ＤＨＣＰサーバ１０に汎用信号線１００を介してＩＰアドレス設定の要求を出し、ＤＨＣＰサーバ１０が動的にＩＰ（Ｉｎｔｅｒｎｅｔ  Ｐｒｏｔｏｃｏｌ）アドレスを割り当てる。また、測定機器ｍ１〜ｍ３は、図示しない制御用コンピュータと汎用信号線１００を介して、データの授受を行う。
【０００５】
また、図５は、異なる従来例を示す構成図である。ここで、図４と同一のものは同一符号を付し、説明を省略する。
図５において、アドレス設定用コンピュータ２０は、専用信号線であるＲＳ２３２Ｃケーブル２００に接続される。測定機器ｍ１は、汎用信号線１００、ＲＳ２３２Ｃケーブル２００に接続される。そして、アドレス設定用コンピュータ２０が、ＲＳ２３２Ｃケーブル２００を介して、測定機器ｍ１に所望のＩＰアドレスを割り当てる。なお、測定機器ｍ１は、図示しない他の測定機器ｍ２〜ｍ３や図示しないコンピュータと汎用信号線１００を介してデータの授受を行う。
【０００６】
図４に示すようなＤＨＣＰサーバ１０によるＩＰアドレスの設定は、ＩＰアドレスを割り振る専用のＤＨＣＰサーバ１０を常に用意する必要があると共に、ＤＨＣＰサーバ１０が動的にＩＰアドレスを設定するので、ユーザが所望するＩＰアドレスを測定機器ｍ１〜ｍ３に割り振り設定することが難しいという問題があった。
【０００７】
一方、図５に示すようなアドレス設定用コンピュータ２０によるＩＰアドレスの設定は、専用信号線であるＲＳ２３２Ｃケーブル２００、およびこのＲＳ２３２Ｃケーブル２００専用の回路を測定機器ｍ１に設ける必要があり、回路が複雑になるという問題があった。
【０００８】
そこで、専用のＤＨＣＰサーバ１０を用いずに、アドレス設定用コンピュータ２０を汎用信号線１００に接続し、各測定機器ｍ１〜ｍ３にＩＰアドレスを設定するものがある（例えば、特許文献１参照）。図６は、このような装置の構成の一例を示した図である。図４、図５と同一のものは同一符号を付し、説明を省略する。図６において、アドレス設定用コンピュータ２０、測定機器ｍ１〜ｍ３は、汎用信号線１００に接続される。
【０００９】
このようなシステムでは、アドレス設定用コンピュータ２０が、各測定機器ｍ１〜ｍ３を個別に識別するための機器情報である物理アドレス、いわゆるイーサネット（登録商標）・カードに固有のＭＡＣ（Ｍｅｄｉａ  Ａｃｃｅｓｓ  Ｃｏｎｔｒｏｌ）アドレスを保持しており、測定機器ｍ１〜ｍ３に対して、ＩＰアドレスの設定を行う測定機器ｍ１〜ｍ３のＭＡＣアドレスと設定するＩＰアドレスとをデータとして、測定機器ｍ１〜ｍ３にブロードキャストする。
【００１０】
そして、測定機器ｍ１〜ｍ３が、受信したデータのＭＡＣアドレスが自測定機器ｍ１〜ｍ３の場合、データとして送信されたＩＰアドレスを、自測定機器ｍ１〜ｍ３のＩＰアドレスとして設定する。また、測定機器ｍ１〜ｍ３に対して所望のＩＰアドレスが設定された後、ユーザは図示しない制御用コンピュータ（外部装置）を用いて、汎用信号線１００を介して各測定機器ｍ１〜ｍ３を制御して測定を行わせ、データ収集を行う。
【００１１】
【特許文献１】
特開平２０００−２６９９９１号公報（段落番号００１１〜００１７、第１図、第２図）
【００１２】
【発明が解決しようとする課題】
このように、アドレス設定用コンピュータ２０を汎用信号線１００に接続するので、専用のＤＨＣＰサーバ１０、専用信号線２００を用いることなく、ユーザが所望するＩＰアドレスを測定機器ｍ１〜ｍ３に割り振り、設定することができる。
【００１３】
また、アドレス設定用コンピュータ２０と測定機器ｍ１〜ｍ３との通信は、高速に処理を行うためにセッションの確立を行わないコネクションレス型の接続で、ＵＤＰ（Ｕｓｅｒ  Ｄａｔａｇｒａｍ  Ｐｒｏｔｏｃｏｌ）ポートを用いたＵＤＰによる接続が行われる。一方、制御用コンピュータと測定機器ｍ１〜ｍ３との通信は、信頼性の高い通信であり、重要なデータを確実に伝送するためにセッションの確立を行うコネクション型の接続で、ＴＣＰ（Ｔｒａｎｓｍｉｓｓｉｏｎ  Ｃｏｎｔｒｏｌ  Ｐｒｏｔｏｃｏｌ）ポートを用いたＴＣＰによる接続が行われる。
【００１４】
重要なデータとは、例えば、測定機器ｍ１〜ｍ３に、所定のタイミングで測定を開始させるコマンドや、測定機器ｍ１〜ｍ３が測定した測定結果の測定データ等である。
【００１５】
しかしながら、例えば、測定機器ｍ１〜ｍ３のうち、測定機器ｍ１が図示しない制御用コンピュータとＴＣＰ接続を行ってデータの授受をしていたとしても、アドレス設定用コンピュータ２０からＩＰアドレスの設定要求を受信すると、ＩＰアドレスの設定を変更してしまう。これにより、設定変更前と設定変更後のＩＰアドレスが異なり、測定機器ｍ１と制御用コンピュータとのＴＣＰ接続が強制的に切断され、重要なデータが喪失するという問題があった。
【００１６】
そこで本発明の目的は、信頼性の高い通信を維持して、ネットワークアドレスの設定を行うネットワークアドレス設定システムおよびネットワークアドレス設定方法を実現することにある。
【００１７】
【課題を解決するための手段】
請求項１記載の発明は、
ネットワークを介して測定機器にネットワークアドレスの設定を行わせる設定装置を具備するネットワークアドレス設定システムにおいて、
前記測定機器は、
前記ネットワークを介して外部装置または前記設定装置と通信を行う送受信手段と、
この送受信手段がコネクション型の接続で通信を行っているかを判断する判断手段と、
この判断手段の判断結果に基づいて、ネットワークアドレスの設定を行う設定手段と
を設けたことを特徴とするものである。
【００１８】
請求項２記載の発明は、請求項１記載の発明において、
ネットワークは、ＴＣＰ／ＩＰプロトコルで通信されることを特徴とするものである。
【００１９】
請求項３記載の発明は、請求項１または２記載の発明において、
コネクション型の接続は、ＴＣＰであることを特徴とするものである。
【００２０】
請求項４記載の発明は、請求項１〜３のいずれかに記載の発明において、
設定装置は、前記測定機器とコネクションレス型の接続で通信を行ってネットワークアドレスの設定を行わせることを特徴とするものである。
【００２１】
請求項５記載の発明は、請求項４記載の発明において、
コネクションレス型の接続は、ＵＤＰであることを特徴とするものである。
【００２２】
請求項６記載の発明は、請求項１〜５のいずれかに記載の発明において、
外部装置は、前記測定機器に測定を行わせ、測定した測定データを収集するコンピュータであることを特徴とするものである。
【００２３】
請求項７記載の発明は、請求項１〜６のいずれかに記載の発明において、
測定機器は、前記設定装置からのネットワークアドレスの設定要求の受信を示す表示手段を設けたことを特徴とするものである。
【００２４】
請求項８記載の発明は、請求項１〜７のいずれかに記載の発明において、
設定装置は、
前記測定機器の機器情報を記憶する機器情報記憶手段と、
前記測定機器から機器情報を収集し、前記機器情報記憶手段に格納する収集手段と
を有することを特徴とするものである。
【００２５】
請求項９記載の発明は、請求項８記載の発明において、
機器情報は、前記測定機器の物理アドレスまたは前記測定機器ごとにあらかじめ割り振られる機器番号の少なくとも一方であることを特徴とするものである。
【００２６】
請求項１０記載の発明は、請求項１〜９のいずれかに記載の発明において、
設定装置は、ネットワークアドレスを記憶するアドレス記憶手段を有し、
前記送受信手段は、前記アドレス記憶手段と前記機器情報記憶手段のそれぞれからネットワークアドレスと機器情報とを読み出し、ネットワークに出力することを特徴とするものである。
【００２７】
請求項１１記載の発明は、
ネットワークを介して測定機器にネットワークアドレスの設定を行わせる設定装置を具備するネットワークアドレス設定方法において、
前記測定機器は、
前記ネットワークを介して外部装置または前記設定装置とコネクション型の接続で送受信手段が通信を行っているかを判断する工程と、
この判断結果に基づいて、ネットワークアドレスの設定を行う工程と
を有することを特徴とする方法である。
【００２８】
【発明の実施の形態】
以下図面を用いて本発明の実施の形態を説明する。
［第１の実施例］
図１は本発明の第１の実施例を示す構成図である。ここで、図６と同一のものは同一符号を付し説明を省略する。図１において、アドレス設定用コンピュータ２０の代わりにアドレス設定用コンピュータ３０が設けられ、測定機器ｍ１〜ｍ３の代わりに測定機器Ｍ１〜Ｍ３が設けられる。また、制御用コンピュータ５０が新たに設けられる。
【００２９】
アドレス設定用コンピュータ３０は、設定装置であり、汎用信号線１００に接続され、データベース３１、送受信手段３２、収集手段３３を有する。データベース３１は、機器情報記憶手段であり、測定機器Ｍ１〜Ｍ３の機器情報、例えば、ＭＡＣアドレスを記憶する。送受信手段３２は、少なくともＵＤＰポートを有し、汎用信号線１００に接続され、測定機器Ｍ１〜Ｍ３と通信を行う。また、送受信手段３２は、データベース３１から設定対象のＭＡＣアドレスを読み出す。収集手段３３は、送受信手段３２にＭＡＣアドレス、ＩＰアドレスの収集を行わせ、送受信手段３２からのＭＡＣアドレス、ＩＰアドレスをデータベース３１に格納する。
【００３０】
測定機器Ｍ１〜Ｍ３は、汎用信号線１００に接続され、送受信手段４１、判断手段４２、設定手段４３、ＬＥＤ４４を有する。なお、測定機器Ｍ１〜Ｍ３は、測定機器ｍ１〜ｍ３と同様にＩＰアドレスを設定するためのキーボードやディスプレイ等のマンマシンインターフェースが設けられていない。
【００３１】
送受信手段４１は、ＵＤＰポート、ＴＣＰポートを有し、汎用信号線１００に接続される。判断手段４２は、送受信手段４１がＴＣＰポートを用いたＴＣＰ接続を行っているか判断する。設定手段４３は、判断手段４２の判断結果に基づいて、送受信手段４１が受信したネットワークアドレスの設定を行う。ＬＥＤ４４は、表示手段であり、送受信手段４１からの指示により点灯、消滅を行う。
【００３２】
制御用コンピュータ５０は、外部装置であり、汎用信号線１００に接続され、測定機器Ｍ１〜Ｍ３とＴＣＰ接続による通信を行う。
【００３３】
このような装置の動作を図２を用いて説明する。図２は、図１に示す装置の動作を示したフローチャートである。
収集手段３３が、送受信手段３２にＵＤＰポートを用いたＵＤＰ接続で、測定機器Ｍ１〜Ｍ３にブロードキャストで、ＭＡＣアドレスの送信を要求し（Ｓ１０１０）、返信を待つ（Ｓ１０２）。
【００３４】
一方、測定機器Ｍ１〜Ｍ３の送受信手段４１が、ＵＤＰポートを開き（Ｓ２０１）、アドレス設定用コンピュータ３０からの要求を待つ（Ｓ２０２）。そして、アドレス設定用コンピュータ３０からＭＡＣアドレスの送信要求を受信すると、測定機器Ｍ１〜Ｍ３の送受信手段４１それぞれが、自分のＭＡＣアドレスをアドレス設定用コンピュータ３０に返信し（Ｓ２０３）、返信後は次の要求を待つ（Ｓ２０４）。
【００３５】
再び、アドレス設定用コンピュータ３０に戻り、収集手段３３が、送受信手段３２を介して収集した各測定機器Ｍ１〜Ｍ３からのＭＡＣアドレス、およびパケットのヘッダ部に含まれるＩＰアドレスをデータベース３１に格納し、さらに汎用信号線１００に接続される測定機器Ｍ１〜Ｍ３のＭＡＣアドレス、ＩＰアドレスの一覧を作成し、図示しない表示部に測定機器Ｍ１〜Ｍ３の一覧を表示する（Ｓ１０３）。
【００３６】
ユーザが、この一覧より、ＩＰアドレスの設定を行いたい測定機器Ｍ１〜Ｍ３を図示しない操作部（例えば、キーボードやマウス）で選択し、さらに設定したいＩＰアドレスを入力する（Ｓ３０１）。また、ユーザが操作部を介してＬＥＤ４４の点灯要求を行う（Ｓ３０２）。
【００３７】
このＬＥＤ４４の点灯要求によって、送受信手段３２が、操作部で選択された測定機器Ｍ１〜Ｍ３のＭＡＣアドレスをデータベース３１から読み出し、ＵＤＰポートより点灯要求と、ＭＡＣアドレスとをブロードキャストで送信し（Ｓ１０４）、選択された測定機器Ｍ１〜Ｍ３からの応答を待つ（Ｓ１０５）。
【００３８】
そして、測定機器Ｍ１〜Ｍ３の送受信手段４１が、受信したデータのＭＡＣアドレスが自分宛ての場合、ＬＥＤ４４を数秒間点灯させ（Ｓ２０５）、アドレス設定用コンピュータ３０にＬＥＤ４４の点灯要求に対する応答を返信し（Ｓ２０６）、返信後は次の要求を待つ（Ｓ２０７）。
【００３９】
再び、アドレス設定用コンピュータ３０に戻り、送受信手段３２が、測定機器Ｍ１〜Ｍ３からの応答を受信すると、操作部より選択された測定機器Ｍ１〜Ｍ３のＭＡＣアドレスと、操作部より入力された設定したいＩＰアドレスとを組にしたデータをＵＤＰポートよりブロードキャストで送信し（Ｓ１０６）、選択された測定機器Ｍ１〜Ｍ３からの応答を待つ（Ｓ１０７）。
【００４０】
そして、測定機器Ｍ１〜Ｍ３の送受信手段４１が、受信した組データのＭＡＣアドレスが自分宛てでない場合、アドレス設定用コンピュータ３０からの要求を待つ（Ｓ２０８、Ｓ２０２）。
【００４１】
また、受信した組データのＭＡＣアドレスが自分宛ての場合、受信したデータのＩＰアドレスを設定手段４３に出力し、判断手段４４が送受信手段４１のＴＣＰ接続を確認する。すなわち、判断手段４４は、測定機器Ｍ１〜Ｍ３の送受信手段４１が、制御用コンピュータ５０とＴＣＰポートを用いてＴＣＰ接続を行っているかを判断する。なお、判断手段４４は、常にＴＣＰ接続の確認を行っておくと良い（Ｓ２０８、Ｓ２０９）。
【００４２】
そして、判断手段４４の判断結果に基づいて、制御用コンピュータ５０とＴＣＰ接続がされている場合、設定手段４３は受信したＩＰアドレスの設定を行わず、送受信手段４１にエラーを返信させる（Ｓ２０９、Ｓ２１１）。また、ＴＣＰ接続されていない場合、設定手段４３は受信したＩＰアドレスを自測定機器Ｍ１〜Ｍ３に設定し（Ｓ２０９、Ｓ２１０）、送受信手段４１に設定が成功したことを返信させる（Ｓ２１１）。そして、送受信手段４１が、エラーまたは成功を返信すると、アドレス設定用コンピュータ３０からの要求を待つ（Ｓ２０２）。
【００４３】
このように、アドレス設定用コンピュータ３０からのＩＰアドレスの設定要求が、自測定機器Ｍ１〜Ｍ３宛ての場合、設定手段４３は判断手段４２の判断結果に基づきＩＰアドレスの設定を行う。すなわち、送受信手段４１が制御用コンピュータ５０とＴＣＰ接続していると、設定手段４３はＩＰアドレスの設定を行わず、送受信手段４１がＴＣＰ接続していないと、設定手段４３はＩＰアドレスの設定を行うので、ＴＣＰ接続している測定機器Ｍ１〜Ｍ３のＩＰアドレスが変更されない。これにより、測定機器Ｍ１〜Ｍ３と制御用コンピュータ５０とのＴＣＰ接続が切断されるこがない。従って、信頼性の高い通信を維持して、ＩＰアドレスの変更を行うことができる。
【００４４】
また、収集手段３３が、送受信手段３２に汎用信号線１００に接続されている測定機器Ｍ１〜Ｍ３のＭＡＣアドレスを収集させるので、測定機器Ｍ１〜Ｍ３が接続されるネットワークの最新の接続状況を確認することができる。これにより、ネットワークアドレスの管理、設定を確実に行うことができる。
【００４５】
すなわち測定機器Ｍ１〜Ｍ３は、測定対象が変わると、新たな測定機器が設置されたり、逆に取り外されたりする。しかし、収集手段３３が、送受信手段３２に汎用信号線１００に接続されている測定機器Ｍ１〜Ｍ３のＭＡＣアドレスを収集させるので、測定機器Ｍ１〜Ｍ３が接続されるネットワークの最新の接続状況を確認することができる。これにより、ＩＰアドレスの管理、設定を確実に行うことができる。
【００４６】
さらに、送受信手段４１が、アドレス設定用コンピュータ３０から受信したデータのＭＡＣアドレスが自分宛ての場合ＬＥＤ４４を点灯させるので、複数の測定機器Ｍ１〜Ｍ３が汎用信号線１００に接続されていても、ユーザは設定対象の測定機器Ｍ１〜Ｍ３を目視で確認することができる。これにより、ユーザはＩＰアドレスの設定対象の間違えを防ぐことができる。
【００４７】
［第２の実施例］
図３は本発明の第２の実施例を示す構成図である。ここで、図２と同一のものは同一符号を付し説明を省略する。また、測定機器Ｍ１〜Ｍ３の送受信手段４１、判断手段４２、設定手段４３、ＬＥＤ４４の図示も省略する。
図３において、アドレス設定用コンピュータ３０にアドレス記憶手段３４が新たに設けられる。アドレス記憶手段３４は、測定機器Ｍ１〜Ｍ３に割り振るＩＰアドレスを記憶し、送受信手段３２にＩＰアドレスを出力する。
【００４８】
このような装置の動作を説明する。
ユーザが、図２に示したフローチャートのステップＳ３０１において、図示しない操作手段よりアドレス記憶手段３４に測定機器Ｍ１〜Ｍ３に割り振るＩＰアドレス、例えば、Ａｄ１、Ａｄ２、Ａｄ３を設定する。その後、送受信手段３２が、アドレス記憶手段３４の先頭から順にＩＰアドレスＡｄ１を読み出し、このＩＰアドレスに対応する測定機器Ｍ１に対して、ステップＳ１０４〜Ｓ１０７、Ｓ２０４〜Ｓ２１１までの動作を行う。以下同様に、送受信手段３２が、アドレス記憶手段３４のＩＰアドレスＡｄ２、Ａｄ３を読み出して、測定機器Ｍ２、Ｍ３に対して、ステップＳ１０４〜Ｓ１０７、Ｓ２０４〜Ｓ２１１までの動作を繰り返し行う。
【００４９】
例えば、制御用コンピュータ５０とＴＣＰ接続をしていない測定機器Ｍ１はＩＰアドレスの設定を行い、ＴＣＰ接続で通信を行っている測定機器Ｍ２、Ｍ３はＩＰアドレスの設定は行わない。
【００５０】
このように、アドレス記憶手段３４が測定機器Ｍ１〜Ｍ３に対して設定したいＩＰアドレスを記憶し、送受信手段３２がアドレス記憶手段３４に格納された全てのＩＰアドレスを測定機器Ｍ１〜Ｍ３に送信するので、ユーザは一台ごとに図示しない操作部から測定機器Ｍ１〜Ｍ３を選択し、ＩＰアドレスの設定を行う必要が無い。これにより、測定機器Ｍ１〜Ｍ３へのＩＰアドレスの設定を素早く行うことができる。
【００５１】
なお、本発明はこれに限定されるものではなく、以下のようなものでもよい。
（１）測定機器Ｍ１〜Ｍ３は、汎用信号線１００に３台接続する構成を示したが、何台でもよい。
【００５２】
（２）アドレス設定用コンピュータ３０が測定機器Ｍ１〜Ｍ３へのＩＰアドレスの設定を行わせ、制御用コンピュータ５０が測定機器Ｍ１〜Ｍ３に測定を行わせて、データ収集を行う構成を示したが、アドレス設定用コンピュータ３０が測定機器Ｍ１〜Ｍ３に測定を行わせ、データ収集を行っても良い。この場合、送受信手段３２は、ＴＣＰポート有し、測定機器Ｍ１〜Ｍ３への測定の指示、データ収集をＴＣＰ接続で通信を行う。もちろん、ＩＰアドレスの設定を行わせる場合、ＵＤＰ接続で通信を行う。
【００５３】
（３）送受信手段４１が、アドレス設定用コンピュータ３０から受信したデータのＭＡＣアドレスが自分宛ての場合ＬＥＤ４４を点灯させる構成を示したが、表示手段であるＬＥＤ４４を設けなくてもよい。この場合、図２に示すフローチャートにおいて、アドレス設定用コンピュータ３０は、ＬＥＤ点灯要求（Ｓ１０４）、および応答を待つ（Ｓ１０５）必要は無く、ユーザから選択された機器に対して、ＩＰアドレスとＭＡＣアドレスを組にしたデータを送信する。もちろん、測定機器Ｍ１〜Ｍ３は、ＬＥＤ点灯（Ｓ２０５）、および返信（Ｓ２０６）は行わない。
【００５４】
（５）アドレス設定用コンピュータ３０は、ＩＰアドレスの設定の応答を待ち（Ｓ１０７）、処理を終了する構成を示したが、測定機器Ｍ１〜Ｍ３からの応答（Ｓ２１１）がエラーの場合、一定時間経過後に、再度ＩＰアドレスとＭＡＣアドレスを組にしたデータの送信（Ｓ１０６）を行ってもよい。
【００５５】
（６）表示手段としてＬＥＤ４４を用いる構成を示したが、複数のＬＥＤを用いて７セグメント表示のＬＥＤユニットを用いてもよい。この際、アドレス設定用コンピュータ３０は、測定機器Ｍ１〜Ｍ３からエラーの応答を受信し、ＩＰアドレスの設定の再試行を行った回数をＬＥＤユニットに表示させてもよい。。
【００５６】
（７）収集手段３３が、送受信手段３２に汎用信号線１００に接続される測定機器Ｍ１〜Ｍ３のＭＡＣアドレスを収集し、データベース３１に格納する構成を示したが、汎用信号線１００に接続される測定機器Ｍ１〜Ｍ３に変更が無い場合、収集手段３３を設けなくとも良い。
【００５７】
（８）測定機器Ｍ１〜Ｍ３の識別を行う機器情報として、ＭＡＣアドレスを用いる構成を示したが、測定機器Ｍ１〜Ｍ３ごとにあらかじめ割り振られ、各測定機器Ｍ１〜Ｍ３の不揮発性のメモリに格納されたり、筐体の内部に設けられるディップスイッチで設定される機器番号でもよい。この機器番号は、測定機器Ｍ１〜Ｍ３の製造メーカが独自に設定するものであり、機器番号は重複なく設定される。
【００５８】
【発明の効果】
本発明によれば、以下のような効果がある。
請求項１〜１０によれば、設定装置からのネットワークアドレスの設定要求が、自測定機器宛ての場合、設定手段が判断手段の判断結果に基づきネットワークアドレスの設定を行う。すなわち、送受信手段が外部装置または設定装置とコネクション型の接続していると、設定手段はネットワークアドレスの設定を行わず、コネクション型の接続をしていないと、設定手段はネットワークアドレスの設定を行うので、コネクション型の接続をしている測定機器のネットワークアドレスが変更されない。これにより、測定機器と外部装置または設定装置とのコネクション型の接続が切断されることがない。従って、信頼性の高い通信を維持して、ネットワークアドレスの設定を行うことができる。
【００５９】
請求項７によれば、ネットワークアドレスの設定要求の受信をすると、この受信を表示手段によって示すので、複数の測定機器がネットワークに接続されていても、ユーザは設定対象の測定機器を目視で確認することができる。これにより、ユーザはネットワークアドレスの設定対象の間違えを防ぐことができる。
【００６０】
請求項８によれば、収集手段が、送受信手段にネットワークに接続されている測定機器の機器情報を収集させるので、測定機器が接続されるネットワークの最新の接続状況を確認することができる。これにより、ネットワークアドレスの管理、設定を確実に行うことができる。
【００６１】
請求項１０によれば、アドレス記憶手段が測定機器に対して設定したいネットワークアドレスを記憶し、送受信手段がアドレス記憶手段に格納された全てのネットワークアドレスを測定機器に送信するので、ユーザは一台ごとに測定機器の選択を行い、ネットワークアドレスの設定を行う必要が無い。これにより、測定機器へのネットワークアドレスの設定を素早く行うことができる。
【００６２】
請求項１１によれば、測定機器は、ネットワークを介して外部装置または前記設定装置とコネクション型の接続で送受信手段が通信を行っているかを判断し、この判断結果に基づいて、ネットワークアドレスの設定を行うので、コネクション型の接続をしている測定機器のネットワークアドレスが変更されない。これにより、測定機器と外部装置または設定装置とのコネクション型の接続が切断されることがない。従って、信頼性の高い通信を維持して、ネットワークアドレスの設定を行うことができる。
【図面の簡単な説明】
【図１】本発明の第１の実施例を示した構成図である。
【図２】図１に示す装置における動作の一例を示したフローチャートである。
【図３】本発明の第２の実施例を示した構成図である。
【図４】従来のネットワークアドレス設定システムの第１の構成例を示した図である。
【図５】従来のネットワークアドレス設定システムの第２の構成例を示した図である。
【図６】従来のネットワークアドレス設定システムの第３の構成例を示した図である。
【符号の説明】
３０  アドレス設定用コンピュータ（設定装置）
３１  データベース（機器情報記憶手段）
３２  アドレス設定用コンピュータの送受信手段
３３  収集手段
３４  アドレス記憶手段
４１  測定機器の送受信手段
４２  判断手段
４３  設定手段
４４  ＬＥＤ（表示手段）
５０  制御用コンピュータ（外部装置）
１００  汎用信号線
Ｍ１〜Ｍ３  測定機器
【図１】
2004297469.tif 000003
【図２】
2004297469.tif 000004
【図３】
2004297469.tif 000005
【図４】
2004297469.tif 000006
【図５】
2004297469.tif 000007
【図６】
2004297469.tif 000008